(57)【要約】【課題】排水ホース内をきれいに洗い流し、カビや臭いの発生を抑制した洗濯機を提供する。【解決手段】筺体内に支持され、内部に水を貯留する外槽と、前記外槽に内包され、衣類が収容される内槽と、前記外槽に溜まった水を循環させる循環ポンプを備え、洗い、すすぎ、脱水の各工程を有する洗濯機において、前記外槽底部から前記循環ポンプへ至る第１の流路と、前記循環ポンプから前記外槽底部へ至る第２の流路を有し、前記すすぎ工程で利用した水が前記外槽底部に溜まった状態で、前記循環ポンプを回転することで、前記外槽底部に溜まった水を、前記第１の流路から吸い込み、前記第２の流路を介して前記外槽底部へと循環させる。【選択図】  図１９
2013223552.tif 000002
【特許請求の範囲】
【請求項１】
筺体内に支持され、内部に水を貯留する外槽と、前記外槽に内包され、衣類が収容される内槽と、前記外槽に溜まった水を循環させる循環ポンプを備え、洗い、すすぎ、脱水の各工程を有する洗濯機において、
前記外槽底部から前記循環ポンプへ至る第１の流路と、
前記循環ポンプから前記外槽底部へ至る第２の流路を有し、
前記すすぎ工程で利用した水が前記外槽底部に溜まった状態で、前記循環ポンプを回転することで、前記外槽底部に溜まった水を、前記第１の流路から吸い込み、前記第２の流路を介して前記外槽底部へと循環させることを特徴とする洗濯機。
【請求項２】
筺体内に支持され、内部に水を貯留する外槽と、前記外槽に内包され、衣類が収容される内槽と、前記外槽に水を供給する給水装置と、前記外槽内の水を排出する排水装置と、前記外槽に溜まった水を循環させる循環ポンプを備え、洗い、すすぎ、脱水の各工程を有する洗濯機において、
前記外槽底部から前記循環ポンプへ至る第１の流路と、
前記循環ポンプから前記外槽底部へ至る第２の流路を有し、
前記すすぎ工程のときに前記給水装置で前記外槽に溜めた水を、前記排水装置で排出した後、前記給水装置で前記外槽に再び溜めた水を、前記循環ポンプを回転することで、前記第１の流路から吸い込み、前記第２の流路を介して前記外槽底部へと循環させることを特徴とする洗濯機。
【請求項３】
請求項１又は２に記載の洗濯機において、
前記循環ポンプから前記外槽上部に設けられた散水口へ至る第３の流路を有し、
前記循環ポンプを正回転することで、前記外槽に溜めた水を前記第１の流路から吸い込み、前記第３の流路を介して前記外槽上部から前記内槽内へ散水し、  
前記循環ポンプを逆回転することで、前記外槽に溜めた水を前記第１の流路から吸い込み、前記第２の流路を介して前記外槽底部へと循環させることを特徴とする洗濯機。
【請求項４】
請求項１において、
前記すすぎ工程のうち最後に溜めた水の全部又は一部が前記外槽に溜まった状態で、前記循環ポンプを回転させることを特徴とする洗濯機。
【請求項５】
請求項２において、
前記外槽に再び溜めた水は、前記外槽又は前記内槽を洗浄するために前記給水手段から供給された水道水であることを特徴とする洗濯機。
【発明の詳細な説明】
【技術分野】
【０００１】
本発明は、洗濯機に関する。
【背景技術】
【０００２】
一般の洗濯機は、長期間使用していると、洗濯水を貯留する外槽や、衣類を収容する内槽に、汚れ等が付着するため、洗濯運転とは別に、槽の洗浄を目的としたコースが設けられている。また、金属イオンの抗菌作用に着目し、金属イオンを含有するイオン水を給水し、外槽及び内槽に作用させることにより、槽の表面に黒カビ等が発生するのを抑制する技術も提案されている。
【０００３】
下記特許文献１には、洗濯完了後の循環水路の内部に、イオン水を滞留させて抗菌処理し、次回の運転開始までの間に循環水路内にカビ類が発生するのを防止することが開示されている。
【先行技術文献】
【特許文献】
【０００４】
【特許文献１】特開２０１１−２５０８４７号公報
【発明の概要】
【発明が解決しようとする課題】
【０００５】
しかしながら、上記特許文献１に記載の技術では、イオン水を単に浸しておくだけなので、洗いやすすぎの際に排水ホースへ付着した汚れ等が落としきれない場合があった。そして、このような汚れ等が排水ホースの底部に堆積して時間が経過すると、カビや臭いを発生させる可能性がある。  
本発明は、上述の課題を解決するために成されたものであり、その目的は、排水ホース内をきれいに洗い流し、カビや臭いの発生を抑制した洗濯機を提供することにある。
【課題を解決するための手段】
【０００６】
上記目的を達成するために本発明は、筺体内に支持され、内部に水を貯留する外槽と、前記外槽に内包され、衣類が収容される内槽と、前記外槽に溜まった水を循環させる循環ポンプを備え、洗い、すすぎ、脱水の各工程を有する洗濯機において、前記外槽底部から前記循環ポンプへ至る第１の流路と、前記循環ポンプから前記外槽底部へ至る第２の流路を有し、前記すすぎ工程で利用した水が前記外槽底部に溜まった状態で、前記循環ポンプを回転することで、前記外槽底部に溜まった水を、前記第１の流路から吸い込み、前記第２の流路を介して前記外槽底部へと循環させる。
【発明の効果】
【０００７】
本発明によれば、排水ホース内をきれいに洗い流し、カビや臭いの発生を抑制した洗濯乾燥機を提供できる。
【図面の簡単な説明】
【０００８】
【図１】第１実施形態に係る洗濯機（洗濯乾燥機）の外観斜視図である。
【図２】第１実施形態に係る洗濯機（洗濯乾燥機）の筐体の内部を示す概略図である。
【図３】第１実施形態に係る洗濯機（洗濯乾燥機）の筐体内部を示す分解斜視図である。
【図４】第１実施形態に係る洗濯機（洗濯乾燥機）の給水ユニットを示す拡大斜視図である。
【図５】第１実施形態に係る洗濯機（洗濯乾燥機）の外槽カバーを示す分解斜視図である。
【図６】第１実施形態に係る洗濯機（洗濯乾燥機）の給水経路を構成する水路部材を示し、（ａ）は底面側から見た斜視図、（ｂ）はＡ部拡大斜視図である。
【図７】第１実施形態に係る洗濯機（洗濯乾燥機）の水路部材を示す拡大断面図である。
【図８】第１実施形態に係る洗濯機（洗濯乾燥機）の水路部材の組付け位置を示す拡大断面図である。
【図９】第１実施形態に係る洗濯機（洗濯乾燥機）の制御装置の機能構成を示す図である。
【図１０】第１実施形態に係る洗濯機（洗濯乾燥機）の給水ユニットから洗濯機（洗濯乾燥機）までの経路を示す概略図である。
【図１１】第１実施形態に係る洗濯機（洗濯乾燥機）の運転工程を説明する工程図である。
【図１２】第１実施形態に係る洗濯機（洗濯乾燥機）の槽洗浄時の水の流れを示す模式図である。
【図１３】第２実施形態に係る洗濯機（洗濯乾燥機）の水路部材を示す概略図である。
【図１４】第１実施形態に係る洗濯機（洗濯乾燥機）の槽洗浄工程のフローチャートである。
【図１５】第１実施形態に係る洗濯機（洗濯乾燥機）の脱水工程の槽洗浄シャワー動作を示したフローチャートである。
【図１６】第１の実施形態に係る洗濯機（洗濯乾燥機）の操作パネルの変形例を示す図である。
【図１７】第３実施形態に係る洗濯乾燥機の運転工程を説明する工程図である。
【図１８】第３実施形態における脱水・槽洗浄シャワー工程Ｓ２１の動作を示したフローチャートである。
【図１９】第１の実施形態に係る洗濯機（洗濯乾燥機）におけるホース内を流れる水の様子を示す図である。
【発明を実施するための形態】
【０００９】
以下、本発明を実施するための形態（以下「実施形態」という）について、適宜図面を参照しながら詳細に説明する。なお、以下では、洗濯機として、洗濯から乾燥までの工程を行うことができる洗濯乾燥機を例に挙げて説明する。
【００１０】
≪第１実施形態≫
図１に示すように、洗濯乾燥機１Ａは、洗濯兼脱水槽８（内槽、図２参照）の回転軸が略鉛直方向の縦型式洗濯機（縦型式洗濯乾燥機）である。この洗濯乾燥機１Ａの筐体２の上部には上面カバー２ａが設けられており、上面カバー２ａには外蓋３が設けられている。外蓋３は、山型に折れ曲がりながら後ろ側に開くことにより、開口部２ｂ（図２参照）を開口し、洗濯兼脱水槽８（図２参照）に衣類（洗濯物）が出し入れ可能になっている。
【００１１】
上面カバー２ａの奥側（後側）には、水道栓からの給水ホース接続口４および風呂の残り湯の吸水ホース接続口５が設けられている。上面カバー２ａの手前側には、電源ボタン６が設けられ、外蓋３の手前側には、操作ボタン７ａおよび表示器７ｂからなる操作パネル７が設けられている。
【００１２】
図２に示すように、洗濯乾燥機１Ａは、筐体２内に、洗濯兼脱水槽８、外槽９、駆動装置１０、洗剤・仕上剤の投入装置１１、給水ユニット１２Ａ、乾燥ダクト２０などを備えている。
【００１３】
洗濯兼脱水槽８は、有底円筒形状を呈し、ステンレス鋼板などで形成された胴板８ａを有している。胴板８ａには、通水および通風のための多数の貫通孔（図２参照、一部のみ図示）８ａ１が形成されている。洗濯兼脱水槽８は、内側底面に回転翼８ｂを備える。
【００１４】
外槽９は、有底円筒形状を呈し、洗濯兼脱水槽８を同軸上に内包し、その上部に外槽カバー９ａを備えて構成されている。洗濯乾燥機１Ａの使用者は、外蓋３および外槽カバー９ａの蓋部材９ｃを開くことにより、開口部２ｂから洗濯兼脱水槽８内に衣類の出し入れを行うことができる。
【００１５】
駆動装置１０は、外槽９の底面の外側中央に配置されている。この駆動装置１０は、モータ１０ａとクラッチ機構１０ｂとを有し、駆動装置１０の回転軸１０ｃが外槽９を貫通し、洗濯兼脱水槽８および回転翼８ｂと結合するように構成されている。クラッチ機構１０ｂは、モータ１０ａの回転動力を洗濯兼脱水槽８および／または回転翼８ｂに伝達する機能を有する。モータ１０ａは、その回転を検出するホール素子あるいはフォトインタラプタなどで構成される回転検出装置２８と、モータ１０ａに流れる電流を検出するモータ電流検出装置２９を備える。
【００１６】
投入装置１１は、上面カバー２ａの手前側に備えられる。洗剤や仕上剤の投入は、投入ホース１１ａにより、外槽９と洗濯兼脱水槽８の間に行われる。
【００１７】
給水ユニット１２Ａは、上面カバー２ａの奥側に設けられる。この給水ユニット１２Ａは、給水ホース接続口４からの水道水を投入装置１１、後記する水冷除湿機構（図示せず）へ給水する。また、給水ユニット１２Ａは、給水ホース接続口４からの水道水や吸水ホース接続口５（図１参照）からの風呂水を、注水ホース１１ｂを介して、外槽９と洗濯兼脱水槽８の間から外槽９内に注水することができる。また、給水ユニット１２Ａは、給水ホース接続口４からの水道水を洗浄ホース１１ｃを介して、洗濯兼脱水槽８の上部に注水することができる。なお、給水ユニット１２Ａの詳細な説明は、図４を用いて後記する。
【００１８】
図２に示す通り、本実施形態では、外槽９の底部から循環ポンプ１７へと至る第１の流路と、循環ポンプ１７から外槽９の底部へ至る第２の流路と、循環ポンプ１７から外槽９の上部へ至る第３の流路と、を有している。
【００１９】
外槽９の底面に設けられた排水兼排気口９ｍは、第１の流路を形成する循環排水経路１３と連通するように接続されている。尚、本実施形態では、外槽９の下に接続される非ホース体である排水兼排気口９ｍを含めて、外槽底部と称する。循環排水経路１３は、排水電磁弁１４を介して、弁下流排水経路１５と連通するように接続されている。排水電磁弁１４を閉弁することにより、外槽９内に洗い水やすすぎ水を貯水可能となる。また、排水電磁弁１４を開弁することにより、外槽９内の水を、弁下流排水経路１５を介して、洗濯乾燥機１Ａの機外へ排水することができる。
【００２０】
また、循環排水経路１３は、筐体２の下部に設置されたフィルタ等の異物除去装置１６および循環ポンプ１７を介して、第３の流路を形成する散水循環経路１８（一部省略）と連通するように接続されている。また、散水循環経路１８は、洗濯兼脱水槽８より上側に設けられた糸屑除去装置（図示せず）と連通するように接続されている。
【００２１】
循環ポンプ１７を駆動すると、外槽９内の水が、排水兼排気口９ｍおよび循環排水経路１３を介して異物除去装置１６に流入し異物が除去され、循環ポンプ１７の吸込口に流入する。循環ポンプ１７から送られた水は、散水循環経路１８を介して外槽９の上部に設けられた糸屑除去装置に流入し糸くずが除去され、糸くずが除去された水（循環水）は、洗濯兼脱水槽８内に上部からノズル（図示せず）を介して散布するように注水される。
【００２２】
乾燥ダクト２０は、筐体２の背面内側に縦方向に設置され、ダクト下部は外槽９の排水兼排気口９ｍとゴム製の乾燥接続経路２０ａによって接続されている。乾燥ダクト２０内には、水冷除湿機構（図示せず）を内蔵しており、給水ユニット１２Ａから水冷除湿機構へ冷却水を供給する。冷却水は乾燥ダクト２０の壁面（ステンレス製などの金属プレート）を伝わって流下して排水兼排気口９ｍに入り、循環排水経路１３、弁下流排水経路１５を通り機外へ排出される。
【００２３】
更に、本実施形態では、図２及び図１９のように、排水兼排気口９ｍに連通された乾燥接続経路２０ａの（乾燥用空気の）下流側であって乾燥ダクト２０の底部と、循環ポンプ１７とを接続する、第２の流路として、槽下部循環経路６２が設けられている。
【００２４】
そして、排水電磁弁１４を閉じた状態で循環ポンプ１７を正回転すると、図１９の実線矢印の通り、外槽９内の洗濯水は、排水兼排気口９ｍから循環排水経路１３を通り異物除去装置１６で異物を除去され、循環ポンプ１７に吸い込まれた後、散水循環経路１８へ吐き出され、外槽９上部の外槽カバー９ａに設けたノズルから洗濯兼脱水槽８内に散水される。
【００２５】
一方で、循環ポンプ１７を逆回転すると、図１９の白抜き矢印の通り、外槽９内の洗濯水は排水兼排気口９ｍから循環排水経路１３を通り異物除去装置１６で異物を除去され、循環ポンプ１７に吸い込まれた後、槽下部循環経路６２へ吐き出され、乾燥ダクト２０の下部を通って外槽９下部の排水兼排気口９ｍへ戻るように循環する。
【００２６】
排水電磁弁１４を開くと、外槽９内の洗濯水は、弁上流排水経路６１から排水電磁弁１４を経て、弁下流排水経路１５から機外へ排出される。
【００２７】
ここで、槽下部循環経路６２、弁上流排水経路６１及び弁下流排水経路１５は、ホース外面が長さ方向に凹凸形状が連なるように形成され、ホース内面が長さ方向に平坦に形成される排水ホースを備えている。このため、ホース内面に洗い水が滞留するのを防止でき、排水時における洗い水等の水流によって汚れが除去され易い。更に、これらホース内面を、抗菌防カビ剤を含む樹脂で形成すれば、悪臭の発生をより抑制できる。
【００２８】
また、循環排水経路１３の上流側の一部と、排水接続経路２０ａは、外槽９の振動を吸収するため、ホース内面についても長さ方向に凹凸が連なるように、蛇腹形状となっている。
【００２９】
乾燥ダクト２０の出口はファン２１の吸気口と接続され、ファン２１の出口はヒータ２２と接続されている。ヒータ２２の出口は、送風ダクト２３およびゴム製の蛇腹管２３ａを介して、吹出ノズル２４と接続されている。
【００３０】
このように、乾燥工程においては、外槽９内の空気を乾燥ダクト２０で水冷除湿してファン２１の吸込口から吸込し、ファン２１から吐出された空気をヒータ２２で加熱して、高温低湿の風を吹出ノズル２４から洗濯兼脱水槽８内に向けて吹き出すことができる。
【００３１】
なお、図示していないが、送風ダクト２３には、乾燥運転中に洗濯兼脱水槽８内に向けて吹き出される風の温度を検出する温度センサ、外槽９の排水兼排気口９ｍには、洗濯水の温度や、乾燥運転中に乾燥ダクト２０に吸い込まれる空気の温度を検出する温度センサ、循環排水経路１３と排水電磁弁１４の間には、洗濯水の温度や、乾燥運転中に弁下流排水経路１５から機外に排出される空気の温度を検出する温度センサ、外槽９の側面上部には、外槽９の振動による振動加速度を検知する加速度センサが設けられている。また、外槽９に溜められた洗濯水の水位を検出する水位センサ（図示せず）を備えている。
【００３２】
図３に示すように、洗濯兼脱水槽８は、胴板８ａの上端縁部に合成樹脂などで形成されたバランスリング（流体バランサともいう）８ｃを備えている。このバランスリング８ｃは、その内部に比重の大きな流体を封入して構成され、洗濯兼脱水層８の回転時に洗濯物の偏り等によって偏心が生じたときに、バランスリング８ｃ内での流体の移動によって偏心をキャンセルし、回転のバランスを維持する働きを有する。
【００３３】
外槽カバー９ａは、略半円形状の投入口９ｂを有し、外槽９の上端縁部に取り付けられる。なお、投入口９ｂには、開閉可能に取り付けられた蓋部材９ｃ（図２参照）が設けられている。また、外槽カバー９ａの奥側（後側）には、散水循環経路１８（図２参照）の端部が接続される接続口９ｄ、蛇腹管２３ａ（図２参照）が接続される接続口９ｅ、後記する槽洗浄用の洗浄ホース１１ｃが接続される接続口９ｆが設けられている。なお、図２と重複する部分については、同じ符号を付して説明を省略する。
【００３４】
図４に示すように、給水ユニット１２Ａは、洗剤給水電磁弁１２ａと、仕上剤／槽洗浄給水電磁弁１２ｂと、冷却水給水電磁弁１２ｃと、外槽給水電磁弁１２ｄと、切替電磁弁１２ｅと、風呂水ポンプ１２ｆと、給水経路ユニット３０と、を備えている。
【００３５】
洗剤給水電磁弁１２ａは、給水ホース接続口４からの水道水を、入水口（図示せず）から給水経路ユニット３０内を通り、出水口３２に接続されるホース１２ｉ（図２参照）を介して、投入装置１１（図２参照）の洗剤投入室（図示せず）に給水する。洗剤投入室に注水された水道水は、投入された洗剤とともに、投入ホース１１ａ（図２参照）を介して、外槽９内に注水される。
【００３６】
仕上剤／槽洗浄給水電磁弁１２ｂは、給水ホース接続口４からの水道水を、入水口３３から給水経路ユニット３０内を通り、出水口３４に接続される洗浄ホース１１ｃを介して後記する水路部材５０に給水する。
【００３７】
また、仕上剤／槽洗浄給水電磁弁１２ｂは、切替電磁弁１２ｅの開弁時に、給水ホース接続口４からの水道水を、入水口３３から給水経路ユニット３０内を通り、出水口３５に接続されるホース１２ｊを介して、投入装置１１（図２参照）の仕上剤投入室（図示せず）に給水する。仕上剤投入室に注水された水道水は、投入された仕上剤とともに、投入ホース１１ａ（図２参照）を介して、外槽９内に注水される。
【００３８】
冷却水給水電磁弁１２ｃは、給水ホース接続口４からの水道水を、図示しないホースを介して、乾燥ダクト２０（図２参照）の水冷除湿機構（図示せず）に給水する。
【００３９】
外槽給水電磁弁１２ｄは、給水ホース接続口４からの水道水を、流路１２ｈに接続される注水ホース１１ｂ（図２参照）から外槽９内に給水する。
【００４０】
切替電磁弁１２ｅは、仕上剤用として給水するかを切り替えるものである。
【００４１】
なお、風呂水ポンプ１２ｆで汲み上げられた吸水ホース接続口５からの風呂水は、流路１２ｈに合流して接続される注水ホース１１ｂ（図２参照）から外槽９内に給水する。
【００４２】
図５に示すように、外槽カバー９ａには、水路部材５０が複数のねじ６０を介して外槽カバー９ａの下面に固定される。この水路部材５０は、合成樹脂などで略円形に形成され、凹面が外槽カバー９ａ側を向くようにして形成された凹条の水路５０ｓを有している。
また、水路部材５０は、外槽カバー９ａの周縁部に沿って周回する（ひとまわりする）よう配設される。
【００４３】
また、水路部材５０は、ねじ固定のための複数の取付部５１、５２を備えている。この取付部５１は、内方（径方向内側）に突出して形成された山型の片部５１ａを有し、この片部５１ａに鉛直方向に貫通するねじ挿通孔５１ｂが形成されて構成されている。取付部５２は、外方に形成された片部５２ａを有し、この片部５２ａに鉛直方向に貫通するねじ挿通孔５２ｂが形成されて構成されている。本実施形態では、それぞれ６個の取付部５１および取付部５２が周方向に間隔を置いて、かつ、取付部５１と取付部５２が交互に配置されるように構成されている。
【００４４】
また、水路部材５０は、取付部５２が形成される位置では、水路５０ｓが内方に突出して蛇行するように形成されている。したがって、水路部材５０の外周縁部は、ほぼ円となるように形成されている。このように、水路部材５０の外側に突出する部分を無くすことで、水路部材５０を外槽カバー９ａの外周縁部により近い側に配置することができ、洗濯兼脱水槽８と外槽９との隙間に対向する位置に水路部材５０を好適に配置することができる。
【００４５】
図６（ａ）に示すように、水路部材５０の内側面５０ｂには、２４個の側面側散水口５０ｂ１が周方向に間隔を置いて形成されている（一部のみ図示）。図６（ｂ）に示すように、水路部材５０の底面５０ａには、４個の底面側散水口５０ａ１が周方向に間隔を置いて形成されている。
【００４６】
図７に示すように、底面側散水口５０ａ１は、内側を向くように底面５０ａに鉛直方向に対して傾斜するように貫通している。底面側散水口５０ａ１および側面側散水口５０ｂ１は、それぞれ本実施形態の個数に限定されるものではなく、洗濯乾燥機１Ａの種類や内部の構造に応じて適宜増減することができる。
【００４７】
図８に示すように、外槽カバー９ａの外周縁部の下面には、水路部材５０が収容され、下側が開放されている凹部９ａ１が周方向に沿って形成されている。また、凹部９ａ１の底面９ａ２には、２本の溝９ａ３、９ａ４が、水路部材５０の内側面５０ｂ、外側面５０ｃに対応する位置に形成されている。この溝９ａ３、９ａ４にシール部材（図示せず）を注入して、溝９ａ３、９ａ４に内側面５０ｂ、外側面５０ｃを付き合わせた状態において、取付部５１、５２を外槽カバー９ａにねじ固定することによって水路部材５０が外槽カバー９ａに対して水密に固定される。また、このとき、水路部材５０の側面側散水口５０ｂ１は、凹部９ａ１の側壁部９ａ５と対向している。
【００４８】
このようにして水路部材５０を外槽カバー９ａに取り付けることで、本実施形態では、水路部材５０が、洗濯兼脱水槽８（バランスリング８ｃ）と外槽９との間の隙間Ｔに対応する位置に配置される。なお、本実施形態では、水路部材５０の底面５０ａ、内側面５０ｂおよび外側面５０ｃと、この水路部材５０の凹面が対向する外槽カバー９ａの底面９ａ２とで囲まれる空間が給水経路に相当する。
【００４９】
図９に示すように、洗濯乾燥機１Ａは、制御装置１００を備える。制御装置１００は、マイコン１１０を中心に構成される。マイコン１１０は、運転パターンデータベース１１１、工程制御部１１２、回転速度算出部１１３、衣類重量算出部１１４などを備える。
【００５０】
マイコン１１０は、操作ボタン７ａから入力された運転コースにあった運転パターンを呼び出し、洗濯または／および乾燥を開始する機能を有する。
【００５１】
工程制御部１１２は、運転パターンデータベース１１１から呼び出された運転パターンに基づき、洗い工程、すすぎ工程、脱水工程、槽洗浄工程、乾燥工程の各工程を運転制御する機能を有する。各工程において、工程制御部１１２は、それぞれ駆動回路を介して、給水ユニット１２Ａ（給水電磁弁１２ａ〜１２ｄ、切替電磁弁１２ｅ）、排水電磁弁１４、モータ１０ａ、クラッチ機構１０ｂ、ヒータ２２、ファン２１、循環ポンプ１７を駆動制御する機能を有する。
【００５２】
回転速度算出部１１３は、モータ１０ａの回転を検出する回転検出装置２８からの検出値に基づき、モータ１０ａの回転速度を算出する機能を有する。
【００５３】
衣類重量算出部１１４は、回転速度算出部１１３で算出された回転速度と、モータ電流検出装置２９の検出値に基づいて、洗濯兼脱水槽８内の衣類の重量を算出する機能を有する。衣類の重量が増加することにより洗濯兼脱水槽８を回転させるための負荷が大きくなり、モータ１０ａに流れるモータ電流が多く必要になることから、モータ１０ａのモータ電流と回転速度により衣類の重量を算出することができる。
【００５４】
次に、第１実施形態に係る洗濯乾燥機１Ａの動作について図１０ないし図１２を参照して説明する。図１０は第１実施形態に係る（洗濯乾燥機）の給水ユニットから洗濯機（洗濯乾燥機）までの経路を示す概略図、図１１は第１実施形態に係る洗濯機（洗濯乾燥機）の運転工程を説明する工程図、図１２は第１実施形態に係る洗濯機（洗濯乾燥機）の槽洗浄時の水の流れを示す模式図である。なお、図１１に示す洗濯運転は、洗い→すすぎ→槽洗浄→脱水→槽洗浄→（乾燥）の運転工程を説明する工程図である。
【００５５】
図１０に示すように、洗濯乾燥機１Ａでは、外槽給水電磁弁１２ｄ（メイン）が開弁されると、水道水が注水ホース１１ｂを介して外槽９内に注水される。洗剤給水電磁弁１２ａが開弁されると、水道水がホース１２ｉ、投入装置１１、投入ホース１１ａを介して外槽９内に供給される。仕上剤／槽洗浄給水電磁弁１２ｂおよび切替電磁弁１２ｅが開弁されると、水道水がホース１２ｊ、投入装置１１、投入ホース１１ａを介して外槽９内に供給される。また、仕上剤／槽洗浄給水電磁弁１２ｂが開弁されると、水道水が洗浄ホース１１ｃを介して水路部材５０に給水される。冷却水給水電磁弁１２ｃが開弁されると、水道水が図示しないホースを介して乾燥ダクト２０内の水冷除湿機構（図示せず）に供給される。
【００５６】
図１１に示すように、布量センシング工程Ｓ１では、工程制御部１１２が洗濯兼脱水槽８を回転させ、衣類重量算出部１１４が注水前の衣類について布量を算出する。
【００５７】
給水・洗剤投入工程Ｓ２では、工程制御部１１２が外槽給水電磁弁１２ｄを開弁し、水道水を注水ホース１１ｂを介して外槽９と洗濯兼脱水槽８の間から外槽９内に注水する。
また、工程制御部１１２は、外槽給水電磁弁１２ｄが開弁されてから所定時間経過後に閉弁する。これは、給水ホース接続口４に接続されている注水ホース１１ｂ内に空気が含まれていることがあり、その空気を外槽９内に排出する動作である。
【００５８】
その後、工程制御部１１２が洗剤給水電磁弁１２ａを開弁し、水道水を投入装置１１の洗剤投入室（図示せず）に給水する。洗剤投入室に注水された水道水は、投入された洗剤とともに、外槽９内に注水される。また、工程制御部１１２は、洗剤給水電磁弁１２ａが開弁されてから所定時間経過後（または、所定水位まで到達した後）に洗剤給水電磁弁１２ａを閉弁する。
【００５９】
洗剤とかし工程Ｓ３では、工程制御部１１２が洗濯兼脱水槽８と回転翼８ｂを一体的に一方向に回転させることによって、洗濯兼脱水槽８の底面で外槽９の底部に投入された洗剤溶かし水と粉末洗剤とを撹拌して高洗剤濃度の洗い水を生成する洗剤溶かしを実行する。
【００６０】
回転給水工程Ｓ４では、工程制御部１１２が外槽給水電磁弁１２ｄを開弁して外槽に給水し、洗濯兼脱水槽８および／または回転翼８ｂを回転させながら、循環ポンプ１７を駆動して、高濃度の洗剤溶液を糸くず除去装置１９から洗濯兼脱水槽８内の衣類に散布する。このとき、仕上剤／槽洗浄給水電磁弁１２ｂを開弁して、外槽９と洗濯兼脱水槽８を洗浄してもよい。
【００６１】
前洗い工程Ｓ５では、洗濯兼脱水槽８を静止させた状態で回転翼８ｂを正逆回転させる撹拌を間欠的に行い、回転翼８ｂの正逆回転中に循環ポンプ１７を正回転することによって、外槽９の底部の洗い水をノズルから衣類上に振りかける。
【００６２】
布質センシング工程Ｓ６では、まず、衣類重量算出部１１４が、水を含んだ状態の衣類の重量を算出する。そして、布量センシング工程Ｓ１で算出した水を含まない衣類の重量と布質センシング工程Ｓ６で算出した水を含んだ状態の衣類の重量から、衣類の布質（吸水性）を判断する。判断された衣類の布質に従って以下の工程が制御される。
【００６３】
洗い給水工程Ｓ７では、工程制御部１１２が、布量センシング工程Ｓ１で算出した衣類の重量と、布質センシング工程Ｓ６で判断した衣類の布質に合わせて外槽９（または洗濯兼脱水槽８）の内部に給水する。
【００６４】
本洗い工程Ｓ８では、工程制御部１１２が、洗濯兼脱水槽８を静止させた状態で回転翼８ｂを回転（または、正方向逆方向に交互に回転）して、衣類を洗う。このとき、循環ポンプ１７を正回転させて、洗剤溶液を衣類に散布してもよい。なお、図示していないが、本洗い工程Ｓ８では、回転翼８ｂを正方向逆方向に交互に回転させ衣類をほぐす運転も行う。また、工程制御部１１２は、この本洗い工程とほぐし工程を数回繰り返す。本洗いが終了すると、衣類のアンバランス状態を監視し、脱水に移行するか否かを判断する。
【００６５】
排水工程Ｓ９では、工程制御部１１２が、排水電磁弁１４を開弁し、外槽９内の洗い水を排水する。
【００６６】
脱水工程Ｓ１０では、排水終了後、工程制御部１１２が、洗濯兼脱水槽８を回転させて衣類に含まれる水（洗い水）を脱水する。
【００６７】
回転シャワー工程Ｓ１１では、工程制御部１１２が、排水電磁弁１４を閉弁、外槽給水電磁弁１２ｄを開弁して、洗濯兼脱水槽８にすすぎ水を供給する。そして、洗濯兼脱水槽８を回転させつつ、循環ポンプ１７を正回転させて外槽９の底部に溜まったすすぎ水を洗濯兼脱水槽８内の衣類に散布する。
【００６８】
脱水工程Ｓ１２では、工程制御部１１２が、洗濯兼脱水槽８を回転させつつ、循環ポンプ１７を停止させて、衣類からすすぎ水を脱水する。
【００６９】
回転シャワー工程Ｓ１３では、工程制御部１１２が、洗濯兼脱水槽８を回転させつつ、循環ポンプ１７を正回転させて外槽９の底部に溜まったすすぎ水を洗濯兼脱水槽８内の衣類に散布する。
【００７０】
排水工程Ｓ１４では、工程制御部１１２が、洗濯兼脱水槽８および循環ポンプ１７を停止させて、排水電磁弁１４を開弁し、外槽９内のすすぎ水を排水する。
【００７１】
脱水工程Ｓ１５では、排水終了後、工程制御部１１２が、洗濯兼脱水槽８を回転させて衣類に含まれる水（すすぎ水）を脱水する。
【００７２】
すすぎ給水工程Ｓ１６では、工程制御部１１２が、排水電磁弁１４を閉弁、仕上剤／槽洗浄給水電磁弁１２ｂを開弁し、洗濯兼脱水槽８を回転させながら、外槽９と洗濯兼脱水槽８を洗浄する。所定時間経過後（または、所定水位まで到達した後）に切替電磁弁１２ｅを所定時間開弁して、洗濯兼脱水槽８に仕上剤を含むすすぎ水を供給する。また、給水工程Ｓ１６では、工程制御部１１２が、外槽給水電磁弁１２ｄを開弁して、外槽９（または、洗濯兼脱水槽８）にすすぎ水を供給する。
【００７３】
ほぐし工程Ｓ１７では、工程制御部１１２が、回転翼８ｂを正方向逆方向に交互に回転させ衣類をほぐす運転を行う。
【００７４】
かくはん工程Ｓ１８では、工程制御部１１２が、外槽９にすすぎ水を溜めた状態で洗濯兼脱水槽８を回転させて衣類を撹拌しつつすすぐ。
【００７５】
槽洗浄工程Ｓ１９では、工程制御部１１２により洗濯兼脱水槽８を回転させて、洗濯兼脱水槽８底面の上面及び下面や回転翼８ｂ底面の下面を洗浄する。
【００７６】
次に、図１４を用いて、槽洗浄工程Ｓ１９の動作について更に説明する。
【００７７】
工程制御部１１２は、すすぎ水が所定の水位ｓ以下かどうかを判断し（ステップ１６１）、所定水位ｓより水位が高い場合は排水電磁弁１４を開弁して、すすぎ水を排水する（ステップ１６２）。この所定水位ｓは、たとえば、洗濯兼脱水槽８の底面や回転翼８ｂ底面よりも高い水位とする。所定水位ｓ以下になったら、排水電磁弁１４を閉弁する（ステップ１６３）。
【００７８】
この後、工程制御部１１２は、洗濯兼脱水槽８を、前記回転給水工程Ｓ４、回転シャワー工程Ｓ１１、Ｓ１３での回転数（３５ｒ／min）よりも速い回転速度（たとえば、８０〜１３０ｒ／min）で、前記回転翼８ｂと共に回転させる（ステップ１６４）。なお、洗濯兼脱水槽８を回転させるパターンとして、正方向（一方向）に回転させる以外に、逆方向に回転させるようにしてもよく、正方向と逆方向を交互に繰り返して回転させてもよい。
【００７９】
所定時間ｔ（たとえば、９０〜１２０秒）経過したか判断し（ステップ１６５）、所定時間ｔ経過したなら、洗濯兼脱水槽８を停止させる（ステップ１６６）。ステップ１６６で洗濯兼脱水槽８を停止させているが、必ずしも洗濯兼脱水槽８を停止させる必要はなく、回転させたまま脱水工程に移行してもよい。
【００８０】
次に、排水電磁弁１４を閉じた状態で、循環ポンプ１７を、１０００ｒ／min以上でかつ３２５０ｒ／min以下の回転速度で逆回転させる（ステップ１６７）。すると、外槽９の底部に溜まっている水が、図１９の白抜き矢印で示す通り、排水兼排気口９ｍから循環排水経路１３を介して循環ポンプ１７に吸い込まれる。そして、循環ポンプ１７から吸い出された水は、槽下部循環経路６２を通って排水接続経路２０ａの上流側へ供給され、排水兼排気口９ｍへ戻るように循環する。
【００８１】
このとき循環する水は、最後のすすぎで溜めたものなので、洗い工程やすすぎ１工程における水よりも汚れが少なく、新たに水道水を追加しなくても良い。この比較的きれいな水を循環させることで、その流れの勢いによって、循環排水経路１３、槽下部循環経路６２及び乾燥接続経路２０ａの底面に堆積した皮脂汚れや洗剤カスが掻き出され、特に蛇腹の溝の部分に付着した物質が洗い落され、臭いやカビの発生が抑制される。尚、循環排水経路１３等のホースを洗浄するためには、１０００ｒ／min以上の回転速度が必要であるが、循環シャワーとして洗濯兼脱水槽８の上部から散水するために循環ポンプを正回転させるときと比べれば、低い回転数で良い。  
そして、所定時間ｔ経過したか判断し（ステップ１６８）、所定時間ｔ経過したなら、循環ポンプ１７によるホースの洗浄を終了し、排水電磁弁１４を開にして（ステップ１６９）排水を行う。尚、このような循環ポンプ１７によるホースの洗浄は、洗濯兼脱水槽８の回転速度を８０〜１３０ｒ／minに維持した状態で、洗濯兼脱水槽８底面の上面及び下面や回転翼８ｂ底面の下面の洗浄を並行して行っても構わない。
【００８２】
また、このような洗濯兼脱水槽８底部の洗浄及び循環排水経路１３等の洗浄は、排水電磁弁１４を開弁し、すすぎ２（最終すすぎ）で使用したすすぎ水を一度全て排水したあとに排水電磁弁１４を閉弁し、仕上剤／槽洗浄給水弁１２ｂを開弁し、洗濯兼脱水槽８を回転させながら所定の水位まで給水した後に実行してもよい。
【００８３】
槽洗浄工程Ｓ１９は、すすぎ水（または、水道水）が外槽９の底に溜められた状態で洗濯兼脱水槽８を回転させるので、洗濯兼脱水槽８の外側の底面や回転翼８ｂ底面に付着した汚れやゴミを除去することができ、また汚れやゴミが付着するのを抑制することができる。
【００８４】
槽洗浄工程Ｓ１９が終了すると、工程制御部１１２は、衣類のアンバランス状態を監視し、最終脱水に移行するか否かを判断する。
【００８５】
排水工程Ｓ２０では、工程制御部１１２が、排水電磁弁１４を開弁し、外槽９内のすすぎ水を排水する。
【００８６】
脱水・槽洗浄シャワー工程Ｓ２１では、排水終了後、工程制御部１１２が、洗濯兼脱水槽８を高速で回転させて衣類に含まれる水分を取り除く。この脱水・槽洗浄シャワー工程Ｓ２１では、脱水のために洗濯兼脱水槽８の回転数を上昇させる途中段階（所定の回転数となったとき）に、後述する散水口から水を噴射する槽洗浄シャワーの動作を取り入れており、その動作について、図１５を用いて更に説明する。
【００８７】
工程制御部１１２が、洗濯兼脱水槽８を回転させ、段階的に加速する（ステップ１７１）。所定回転速度ｎ1（たとえば、４００ｒ／min）以下かどうかを判断する（ステップ１７２）。所定回転速度ｎ1に達すると、所定回転速度ｎ1を維持（ステップ１７３）したまま、仕上剤／槽洗浄給水電磁弁１２ｂを開弁して、水路部材５０に洗浄水（水道水）を供給する（ステップ１７４）。所定時間ｔ1（たとえば、３０〜１２０秒）が経過するまで、水路部材５０に給水する（ステップ１７５）。ここで、洗濯兼脱水槽８の回転方向に延びる給水経路には後述の散水口が複数設けられており、この散水口から噴射された水道水が外槽９の内壁面または洗濯兼脱水槽８の外壁面に沿って重力で流れ落ちる結果、外槽９や洗濯兼脱水槽８に汚れが付着し難くなる。所定時間ｔ1が経過したなら、仕上剤／槽洗浄給水電磁弁１２ｂを閉弁し（ステップ１７６）、洗濯兼脱水槽８を更に加速し（ステップ１７７）、脱水を継続して衣類に含まれる水分を取り除く。
【００８８】
所定回転速度ｎ1を保持した場合で説明したが、所定回転速度ｎ1に限定される必要はなく、所定回転速度ｎ2（たとえば６００ｒ／min）を設定し、所定回転速度ｎ1〜所定回転速度ｎ2の加速中に実行してもよく、さらには、所定回転速度ｎ2を所定時間ｔ2（たとえば、３０〜１２０秒）保持して実行してもよい。
【００８９】
給水部材５０に給水すると、図１２に示すように、水路部材５０の側面側散水口５０ｂ１から水道水が吐出され、実線矢印で示すように、外槽カバー９ａに形成された凹部９ａ１の底面９ａ２に当たり、そして洗濯兼脱水槽８のバランスリング８ｃの外周縁部上面８ｃ１に降りかかる。このとき、洗濯兼脱水槽８は高速で回転しているで、バランスリング８ｃの外周縁部上面８ｃ１に降りかかった水道水は、洗濯兼脱水槽８の回転時の遠心力によって外槽９の内周面９ｓに向けて吹き飛ばされる。外槽９の内周面９ｓまで飛ばされた水道水は、重力の作用により外槽９の内周面９ｓを鉛直方向下方に向けて流れ落ちる。また、水路部材５０に側面側散水口５０ｂ１が複数形成されるとともに遠心力によって吹き飛ばされるので、外槽９の上部において、その内周面９ｓの全体に水道水が吹き付けられ、その後下方に流れ落ちる。したがって、外槽９の内周面の上部から下部までの全体に水道水が流れることになる。よって、外槽９の内周面の全体の汚れやゴミが取り除かれ、また汚れやゴミの付着を抑制することができる。
【００９０】
また、図１２に示すように、水路部材５０の底面側散水口５０ａ１から水道水が散水されると、洗濯兼脱水槽８の上部（バランスリング８ｃ）の外周面８ｓに吹き付けられる。
外周面８ｓに吹き付けられた水道水は、重力の作用により洗濯兼脱水槽８の外周面８ｓを鉛直方向下方に向けて流れ落ちる。なお、側面側散水口５０ｂ１から外周縁部上面８ｃ１に滴下した水道水の一部も、図１２において細い破線で示すように、重力の作用により、洗濯兼脱水槽８の外周面８ｓを下方へと流れ落ちる。
【００９１】
このようにして、水路部材５０の側面側散水口５０ｂ１と底面側散水口５０ａ１から水道水を洗濯兼脱水槽８の上部（外周縁部）に散水することにより、外槽９の内周面９ｓおよび洗濯兼脱水槽８の外周面８ｓに対する汚れやごみの付着を抑制することができる。
【００９２】
なお、洗濯から乾燥までの一連の運転を行うモードが設定されている場合には、脱水工程Ｓ２１後に乾燥工程Ｓ２２を行う。乾燥工程Ｓ２２では、工程制御部１１２が、冷却水給水電磁弁１２ｃを開弁して、ヒータ２２を通電し、ファン２１を駆動させる。乾燥工程（Ｓ２２）終了後、ユーザが外蓋３および蓋部材９ｃを開いて乾燥した衣類を取り出し、蓋部材９ｃおよび外蓋３を閉め、所定のボタン（例えばスタートボタン）を押すことで、以下の槽洗浄シャワー工程Ｓ２３が開始される。
【００９３】
槽洗浄シャワー工程Ｓ２３では、衣類重量算出部１１４により洗濯兼脱水槽８内に衣類が残っていないかを判断し、衣類がない場合は、前記脱水・槽洗浄シャワー工程Ｓ２１の槽洗浄シャワー動作と同様であり、洗濯兼脱水槽８の外周面８ｓや外槽９の内周面９ｓに水路部材５０から水道水を散水する。
【００９４】
ここで、使用者が衣類を取り出し終わったことを確認するためのボタン操作等を設けることにより、洗濯兼脱水槽８内に乾燥後の衣類が入ったまま槽洗浄シャワー工程Ｓ２３を開始するのを防止できる。また、衣類が残ったまま槽洗浄シャワーする可能性を排除するために、乾燥後の槽洗浄シャワー工程Ｓ２３を設けないようにしても構わない。
【００９５】
なお、槽洗浄工程Ｓ１９、脱水・槽洗浄シャワー工程Ｓ２１、槽洗浄シャワー工程Ｓ２３の槽洗浄、槽洗浄シャワー動作は、洗濯乾燥機１Ａに設けられたボタンによってＯＮ／ＯＦＦを設定でき、ユーザが選択可能となっている。また、槽洗浄工程Ｓ１９について、本実施形態では、洗い工程から脱水工程までの間の途中で、槽底部洗浄とホース洗浄とを一体で、自動的に行うものについて説明したが、槽底部洗浄とホース洗浄とのどちらか一方だけを行うように設定できるようにしても良い。
【００９６】
図１６は、第１の実施形態に係る洗濯乾燥機１Ａにおける操作部分の変形例を示す図である。自動おそうじ用ボタン２５を設定した状態で洗濯コースを開始すると、槽洗浄工程Ｓ１９及び脱水・槽洗浄シャワー工程Ｓ２１が行われ、設定しない状態で洗濯コースを開始すると、これらの槽洗浄は行われない。したがって、自動おそうじ工程をオンに設定していれば、洗濯コースや洗濯乾燥コースとは別の特別な洗浄コースを行わなくても、洗濯コースや洗濯乾燥コースの途中で自動的に、槽底部やホースに汚れが残り難くする運転を行う。
【００９７】
更に、槽洗浄工程Ｓ１９又は脱水・槽洗浄シャワー工程Ｓ２１を、自動槽洗浄用ボタン２５の設定の有無に係わらず、必ず実施するようにし、槽洗浄シャワーＳ２３のみを自動槽洗浄用ボタン２５で選択できるようにすることも考えられる。
【００９８】
以上説明したように、本実施形態によれば、すすぎ２工程が始まってから脱水工程が終わるまでの間に、循環ポンプ１７の逆回転によりホース内の汚れ等を物理的に排出することが可能となり、結果として、ホース内のカビの繁殖や異臭の発生を抑制できる。また、槽洗浄の際に溜まった水を有効に利用し、これを循環するので、新たに水道水を溜め直す場合と比べて節水になる。尚、すすぎの工程数は２回に限らず、それ以上であっても良く、その場合は、最後のすすぎ工程で溜まった水を循環ポンプ１７でホース内に循環させて汚れ等の堆積を防ぐ。
【００９９】
≪第２実施形態≫
図１３は、第２実施形態に係る洗濯乾燥機の水路部材を示す概略図である。
【０１００】
第２実施形態における給水経路は、第１実施形態と同様に、水路部材５０と外槽カバー９ａによって構成され、例えば、水路部材５０の底面５０ａに底面側散水口５０ａ１が周方向に沿って間隔を置いて形成されたものである。
【０１０１】
図１３に示すように、水路部材５０は、底面側散水口５０ａ１と、洗濯兼脱水槽８の外周縁部上面８ｃ１とが対向するように配置されている。これにより、底面側散水口５０ａ１から散水された水道水は、実線矢印で示すように、洗濯兼脱水槽８の上部（バランスリング８ｃの外周縁部上面８ｃ１）に直接的に散水される。このとき、洗濯兼脱水槽８が回転することで、洗濯兼脱水槽８の回転時の遠心力によって水道水が外槽９の内周面９ｓに飛散する。外槽９の内周面９ｓに降りかかった水道水は、重力の作用によって鉛直方向下方に向けて流れ落ちる。これにより、外槽９の内周面９ｓに付着した汚れやゴミが取り除かれ、また内周面９ｓに汚れやゴミが付着するのを抑制することができる。
【０１０２】
≪第３実施形態≫
図１７は、第３実施形態に係る洗濯乾燥機の運転工程を説明する工程図であり、図１８は、第３実施形態における脱水・槽洗浄シャワー工程Ｓ２１の動作を示したフローチャートである。
【０１０３】
本実施形態では、第１実施形態と異なり、槽洗浄工程Ｓ１９における槽底部の洗浄では循環ポンプ１７を逆回転させず、脱水・槽洗浄シャワー工程Ｓ２１において循環ポンプ１７を逆回転して、ホース内の洗浄を行う。
【０１０４】
以下、図１８を用いて、脱水・槽洗浄シャワー工程Ｓ２１における動作を詳細に説明する。
【０１０５】
まず、工程制御部１１２が、洗濯兼脱水槽８を回転させ、段階的に加速する（ステップ１７１）。所定回転速度ｎ1以下かどうかを判断する（ステップ１７２）。所定回転速度ｎ1に達すると、所定回転速度ｎ1を維持（ステップ１７３）する。ここまでは、第１実施形態と同様である。
【０１０６】
その後、本実施形態では、洗濯兼脱水槽８の回転速度を維持したまま、排水電磁弁１４を閉じる（ステップ１７４）。この排水電磁弁１４が閉じ状態であると判断した場合（ステップ１７５）、仕上剤／槽洗浄給水電磁弁１２ｂを開弁して、水路部材５０に洗浄水（水道水）を供給する（ステップ１７６）。所定時間ｔ1が経過するまで、水路部材５０に給水する（ステップ１７８）。このとき、洗濯兼脱水槽８の回転方向に延びる給水経路に設けられた複数の散水口から水道水を噴射し、外槽９の内壁面または洗濯兼脱水槽８の外壁面に水が当たり、外槽９や洗濯兼脱水槽８に汚れが付着し難くなる。所定時間ｔ1が経過したなら、仕上剤／槽洗浄給水電磁弁１２ｂを閉弁する（ステップ１７９）。
【０１０７】
次に、循環ポンプ１７を１０００ｒ／min以上でかつ３２５０ｒ／min以下の回転速度で逆回転させる（ステップ１８０）。すると、槽洗浄シャワーにより外槽９の底部に溜まった水が、図１９の白抜き矢印で示す通り、排水兼排気口９ｍから循環排水経路１３を介して循環ポンプ１７に達し、槽下部循環経路６２を通って排水接続経路２０ａの上流側へ供給され、排水兼排気口９ｍへ戻るように循環する。この循環する水の流れの勢いによって、循環排水経路１３等の底面に堆積した皮脂汚れ等が掻き出され、その後の排水工程で水と一緒に機外へ洗い出すことが可能である。このとき循環する水は、槽洗浄シャワーで使った水を有効活用でき、しかも、すすぎ２工程における水よりも汚れが少ないため、比較的きれいな水でホースを洗浄できる。
【０１０８】
そして、所定時間ｔ経過したか判断し（ステップ１８１）、所定時間ｔ経過したなら、循環ポンプ１７によるホースの洗浄を終了し、排水電磁弁１４を開にして（ステップ１８２）排水を行う。その後、洗濯兼脱水槽８を加速し（ステップ１８３）、脱水を継続して衣類に含まれる水分を取り除く。
【０１０９】
このように、本実施形態では、排水電磁弁１４を閉じた状態で、外槽９の内面または洗濯兼脱水槽８の外面に散水し、その過程で溜まった水を利用して、ホース内に残る洗剤成分や糸屑などを取り除いて排水と共に流すことで、カビによる異臭の発生を抑制できる。
【０１１０】
尚、本実施形態に限らず、槽洗浄工程Ｓ１９と脱水・槽洗浄シャワー工程Ｓ２１の両方で循環ポンプ１７を逆回転して、ホース内の洗浄を行っても構わない。循環ポンプについても、上述の実施形態のように、外槽９の下部に別体として設ける構成以外に、洗濯兼脱水槽８底部又は回転翼８ｂに設けられた凹凸が回転することによって水の流れを発生される構成とし、これにより循環ポンプの働きを代用しても良い。この場合、例えば、洗濯兼脱水槽８又は回転翼８ｂを右（左）回転させると散水循環経路１８へ水が流れ、洗濯兼脱水槽８又は回転翼８ｂを左（右）回転させると槽下部循環経路６２へ水が流れるようにする。
【０１１１】
また、洗い工程、すすぎ工程及び脱水工程のみを実行し、乾燥工程を実行せずに運転を終了する場合は、槽内に水分が残り、カビ等の発生の要因となる。このため、運転終了後、所定のキーが操作されるのを検知すると、ヒータ２２等の加熱手段に通電し、ファン２１で構成される送風手段を動作させることで、温風の供給を開始させても良い。このように温風の供給を開始した後、外蓋３の閉じ状態を検知すると、加熱手段の出力を増加させる。これにより、特定のキーを操作した後、衣類の取り出し等の理由で外蓋３を閉めるまでに時間を要した場合でも、外蓋３の閉じ動作を待たずに、早期に槽乾燥が開始でき、全体としての運転時間の短縮につながる。更に、特定のキーが操作されてもすぐには加熱手段の出力を高くせず、外蓋３が閉じられてから加熱手段の出力を高くしているので、安全性も維持できる。
【０１１２】
更に、上述の実施形態では、乾燥機能を有する洗濯乾燥機を用いて説明したが、乾燥機能を有しない洗濯機であってもよい。
【符号の説明】
【０１１３】
１Ａ、１Ｂ  洗濯乾燥機（洗濯機）
２、２Ａ  筐体
８  洗濯兼脱水槽（内槽）
８ｂ  回転翼
９  外槽
９ａ  外槽カバー
９ｍ  排水兼排気口
１０  駆動装置
１２  給水ユニット（給水手段）
１３  循環排水経路
１４  排水電磁弁
１５  弁下流排水経路
１６  異物除去装置
１７  循環ポンプ
１８  散水循環経路
２０  乾燥ダクト
２０ａ  乾燥接続経路
５０  水路部材（給水経路）
６１  弁上流排水経路
６２  槽下部循環経路
１００  制御装置
１１２  工程制御部（運転制御手段）
【図１】
2013223552.tif 000003
【図２】
2013223552.tif 000004
【図３】
2013223552.tif 000005
【図４】
2013223552.tif 000006
【図５】
2013223552.tif 000007
【図６】
2013223552.tif 000008
【図７】
2013223552.tif 000009
【図８】
2013223552.tif 000010
【図９】
2013223552.tif 000011
【図１０】
2013223552.tif 000012
【図１１】
2013223552.tif 000013
【図１２】
2013223552.tif 000014
【図１３】
2013223552.tif 000015
【図１４】
2013223552.tif 000016
【図１５】
2013223552.tif 000017
【図１６】
2013223552.tif 000018
【図１７】
2013223552.tif 000019
【図１８】
2013223552.tif 000020
【図１９】
2013223552.tif 000021